(57)【要約】【課題】火災によって下框の内部の中空が潰れてガラスがずれてしまうことを防止し、且つ、サブロック等の部材を設置することも可能な開口部装置を提供すること。【解決手段】上框２１、下框２２及び縦框２３，２４により框組みされた框２００と、框２００内に収容されたガラス２５を備えた障子２０、を備える縦辷り出し窓１であって、下框２２は、内部に中空部２２１ａを形成した角筒部２２１ｅと、角筒部２２１ｅの中空部２２１ａに配置された補強材８０と、を備え、補強材８０は、見付方向に延在する見付部８１と、見付部８１から見込方向に延出する見込部８２と、を備える縦辷り出し窓１。【選択図】図７
2014163085.tif 000002
【特許請求の範囲】
【請求項１】
上框、下框及び左右の縦框により框組みされた框と、該框内に収容されたガラスを備えた障子、を備える開口部装置であって、
前記下框は、内部に中空部を形成した角筒部と、
前記角筒部の内部に配置された金具と、を備え、
前記金具は、見付方向に延在する見付部と、前記見付部から見込方向に延出する見込部と、を備える開口部装置。
【請求項２】
前記下框の前記角筒部の内部に配置されるロック機構を有する本体部と、前記下框の屋内側に配置される操作部と、前記下框の屋内側の面に見付方向に延びて形成されたスリットに挿通され前記本体部と前記操作部とを連結させる連結部と、を有するサブロックを更に備え、
前記金具は、前記見付部が前記下框の見付方向において少なくとも前記スリットを覆うように配置される請求項１に記載の開口部装置。
【請求項３】
前記障子は、前記下框と前記ガラスの下縁部との間に、見付方向に延設されたガラス保持金具を更に備える請求項１又は２に記載の開口部装置。
【請求項４】
前記金具は、前記ガラス保持金具と平面投影面において重複するように配置される請求項３に記載の開口部装置。
【請求項５】
前記見付部の屋内側の面には、加熱発泡材が取り付けられている請求項１〜４のいずれかに記載の開口部装置。
【請求項６】
前記金具は、前記下框の屋内側の面、前記下框の上面又は前記下框の下面に固定されている請求項１〜５のいずれかに記載の開口部装置。
【請求項７】
前記金具は、前記見込部の屋内側の一端から見付方向に延出する延出部を更に備え、該延出部が前記下框の屋内側の面に固定されている請求項６に記載の開口部装置。
【請求項８】
前記金具は、前記下框の中空内部の見付方向の片側に少なくとも１つ配置される請求項１〜７のいずれか記載の開口部装置。
【発明の詳細な説明】
【技術分野】
【０００１】
本発明は、開口部装置に関する。
【背景技術】
【０００２】
従来、防火性能を向上させた窓が提案されている。例えば、障子を構成する下框の内部に形成された中空に、金属製の断面視コ字状の補強芯材を下框の左右方向に通しで取り付けることで、窓の防火性能を向上させる技術が知られている。これにより、火災による高熱で下框が潰れてしまうことによって、框に嵌め込まれたガラスが下方にずれしてしまうことを防止することができる。
【０００３】
ところで、窓の防犯性能を向上させるために、障子を構成する下框にサブロックを設ける技術が知られている（例えば、特許文献１参照）。特許文献１では、下框に、屋内側の外部から下框の内部の中空に通じる溝を設けてサブロックのケースを取り付けている。
【先行技術文献】
【特許文献】
【０００４】
【特許文献１】特開平１１−２１０２９７号公報
【発明の概要】
【発明が解決しようとする課題】
【０００５】
しかしながら、障子を構成する下框の内部に形成された中空に、断面視コ字状の補強芯材を下框の見付方向に通しで取り付けた場合、障子の下框にサブロック等の部材を設置することは、サブロック等の部材と補強芯材とが接触してしまうことから困難であった。
【０００６】
本発明は上記に鑑みてなされたものであり、その目的は、火災によって下框の内部の中空が潰れてガラスがずれてしまうことを防止し、且つ、サブロック等の部材を設置することも可能な開口部装置を提供することにある。
【課題を解決するための手段】
【０００７】
上記目的を達成するため本発明は、上框（例えば、後述の上框２１）、下框（例えば、後述の下框２２）及び左右の縦框（例えば、後述の縦框２３，２４）により框組みされた框（例えば、後述の框２００）と、該框内に収容されたガラス（例えば、後述のガラス２５）を備えた障子（例えば、後述の障子２０）、を備える開口部装置（例えば、後述の縦辷り出し窓１）であって、前記下框は、内部に中空部（例えば、後述の中空部２２１ａ）を形成した角筒部（例えば、後述の角筒部２２１ｅ）と、前記角筒部の内部に配置された金具（例えば、後述の補強材８０）と、を備え、前記金具は、見付方向に延在する見付部（例えば、後述の見付部８１）と、前記見付部から見込方向に延出する見込部（例えば、後述の見込部８２）と、を備える開口部装置を提供する。
【０００８】
本発明では、開口部装置の下框の角筒部の内部に、下框を補強するための金具を配置する。また、金具は、見付方向に延在する見付部と、前記見付部から見込方向に延出する見込部と、を備える。
これにより、火災によって下框の樹脂やアルミが溶けたとしても、ガラスが下方向へずれることを、金具によって防ぐことができる。ガラスの下方向へのずれや落下を防ぐことができれば、ガラスの上方が開放されることによる屋内への熱風や煙の侵入を防ぐことができるので、防火性能に優れた開口部装置を提供できる。
本発明の、見付方向に延在する金具の見付部を、下框の中空内部の屋外側に配置すれば、特に屋外側の火災に対して高い防火性能を発揮する上に、下框の中空内部の屋内側にサブロック等の部材を配置することも容易になる。
【０００９】
前記下框の中空内部に配置されるロック機構を有する本体部（例えば、後述の本体部９４）と、前記下框の屋内側に配置される操作部（例えば、後述の操作部９１）と、前記下框の屋内側の面に見付方向に延びて形成されたスリット（例えば、後述のスリット２２１ｄ，２２２ｂ）に挿通され前記本体部と前記操作部とを連結させる連結部（例えば、後述の連結部９３）と、を有するサブロック（例えば、後述のサブロック９０）を更に備え、前記金具は、前記見付部が前記下框の見付方向において前記スリットを覆うように配置されることが好ましい。
【００１０】
障子に、下框に形成されたスリットに挿通して備え付けるサブロックを設置した場合、スリット部分の防火性能が劣る傾向にあり、火災においてスリット部分から熱風や煙が屋内に侵入してしまうことがあった。また、サブロックを下框の中空部に配置した場合、従来の断面視コ字状の補強芯材を下框の見付方向に通しで取り付けるのは困難であった。
この発明では、下框の角筒部の内部に配置されるロック機構を有する本体部と、下框の屋内側に配置される操作部と、前記本体部と前記操作部とを連結させる連結部と、を有するサブロックを、下框の屋内側の面に見付方向に延びて形成されたスリットに挿通する。また、金具を、見付部が下框の見付方向において前記スリットを覆うように配置する。
上記のように金具の見付部が中空内部の屋外側に立設して見付方向に延在すれば、下框の屋内側のスリットに挿通されるサブロックであれば容易に設置することができる。また、これにより、屋外側からの火災に対して金具の見付部がスリット部分を保護するので、サブロックを設置するにも関わらず良好な防火性能を維持することができる。
【００１１】
前記障子は、前記下框と前記ガラスの下縁部との間に、見付方向に延設されたガラス保持金具（例えば、後述のガラス保持金具２５５ａ）を更に備えることが好ましい。
【００１２】
本発明では、ガラス保持金具を、下框とガラスの下縁部との間に見付方向に延設する。
これにより、ガラスの下縁部がガラス保持金具によって支えられ、且つ、保護されるので、窓の防火性能や安全性がより高くなる。
【００１３】
前記金具は、前記ガラス保持金具と平面投影面において重複するように配置されることが好ましい。
【００１４】
本発明では、更に、金具とガラス保持金具とが平面投影面において重複するように配置される。
これにより、ガラスを支えるガラス保持金具は、ガラス保持金具の下方であって下框の中空に配置される金具によって支えられる。従って、火災によって下框の樹脂やアルミが溶けたとしても、ガラス全体の重量を金具によって容易に支えることができ、ガラスが下方向へずれることを、より効果的に防ぐことができる。
【００１５】
前記見付部の屋内側の面には、加熱発泡材（例えば、後述の加熱発泡材８１ａ）が取り付けられていることが好ましい。
【００１６】
この発明では、見付部の屋内側の面に加熱発泡材を取り付ける。
これにより、下框にサブロックを設置した場合であっても、火災発生時には、熱で加熱発泡材が発泡して膨張し、見付部とサブロックとの間の空間を塞ぐことができる。従って、該空間を通って熱風や煙が屋内に侵入するのを回避でき、より優れた防火性能が得られる。
【００１７】
前記金具は、前記下框の屋内側の面、前記下框の上面又は前記下框の下面に固定されていることが好ましい。
【００１８】
この発明では、金具を、下框の屋内側の面、下框の上面又は下框の下面に固定する。すなわち、金具を、下框の屋外側の面以外の面に固定する。
これにより、火災による屋外側からの加熱によって金具の固定箇所が溶けてしまい、金具がずれることを防止することができる。金具がずれることを防止することにより、開口部装置からのガラスの脱落を防止することができる。
【００１９】
前記金具は、前記見込部の屋内側の一端から見付方向に延出する延出部（例えば、後述の第１延出部８３）を更に備え、該延出部が前記下框の屋内側の面に固定されていることが好ましい。
【００２０】
この発明では、金具が見込部の屋内側の一端から見付方向に延出する延出部を更に備える。また、延出部を下框の屋内側の面に固定する。
これにより、ガラスの脱落をより効果的に防止することができる。つまり、屋外側からの加熱の影響を最も受け難い下框の屋内側の面に金具を固定することで、火災による屋外側からの加熱で金具の固定箇所が溶けてしまい、金具がずれることを防止することができる。
【００２１】
前記金具は、下框の中空内部の見付方向の片側に少なくとも１つ配置されることが好ましい。
【００２２】
この発明では、下框の中空内部の見付方向の片側に金具を少なくとも１つ配置する。
これにより、下框の中空内部の見付方向の一部に金具が配置されるので、障子の重量を軽減することができ、開口部装置の生産や設置のコストを削減することができる。
【発明の効果】
【００２３】
本発明によれば、火災によって下框の内部の中空が潰れてガラスがずれてしまうことを防止し、且つ、サブロック等の部材を設置することも可能な開口部装置を提供できる。
【図面の簡単な説明】
【００２４】
【図１】本発明の一実施形態に係る縦辷り出し窓を屋内側から見たときの図である。
【図２】上記実施形態に係る縦辷り出し窓の縦断面図である。
【図３】上記実施形態に係る縦辷り出し窓の横断面図である。
【図４】上記実施形態に係る金具（補強材８０）を示す斜視図である。
【図５】上記実施形態に係る縦辷り出し窓の下框の正面図である。
【図６】上記実施形態に係る縦辷り出し窓の下框の平面図である。
【図７】上記実施形態に係る縦辷り出し窓の下框の拡大横断面図である。
【発明を実施するための形態】
【００２５】
以下、本発明の一実施形態について、図面を参照しながら詳しく説明する。なお、本明細書において、「見付方向」とは、建物の壁に形成された開口部に納められた窓におけるガラスの面方向（すなわち、左右方向）を意味し、「見込方向」とは、上記ガラスの厚さ方向（すなわち、奥行き方向）を意味する。
【００２６】
図１は、本実施形態に係る開口部装置としての縦辷り出し窓１を屋内側から見たときの図である。図１に示すように、縦辷り出し窓１は、建物の壁６に形成され且つ開口縁に額縁７０が取り付けられた開口部７に納められる。縦辷り出し窓１は、窓枠１０と、障子２０と、上側アーム３０と、下側アーム４０と、を備える。
【００２７】
窓枠１０は、上枠１１と、下枠１２と、吊元側の縦枠１３と、戸先側の縦枠１４と、により矩形に枠組みされる。
【００２８】
障子２０は、上框２１と、下框２２と、吊元側の縦框２３と、戸先側の縦框２４と、により矩形に框組みされた框２００と、框２００内に嵌め込まれて固定されたガラス２５と、を含んで構成される。
戸先側の縦框２４は、戸先側の縦枠１４に設けられた受け部材１４ａに係止する爪を操作するためのメインロック２４ａを備える。障子２０は、メインロック２４ａを把持して戸先側の縦框２４を屋外側に押し出すことによって開放することができる。
【００２９】
上側アーム３０は、上枠１１と、上框２１とを連結する。
下側アーム４０は、下枠１２と、下框２２とを連結する。
上側アーム３０及び下側アーム４０は、障子２０を支持する。
【００３０】
後述するサブロック９０は、下框２２の戸先側に配置される。
【００３１】
図２は、本実施形態に係る縦辷り出し窓１の吊元側から見たときの縦断面図である。図２に示すように、ガラス２５は、屋内側の板ガラス２５１と、屋外側の板ガラス２５２と、これら２枚の板ガラスで挟持されたスペーサ２５３と、を備える複層ガラスであり、優れた断熱性を有する。
【００３２】
下枠１２は、屋外側の金属下枠１２１と、屋内側の樹脂下枠１２２と、を含んで構成される。
金属下枠１２１は、例えばアルミで構成される。より具体的には、金属下枠１２１は、アルミを押出成形することで得られる。
樹脂下枠１２２は、例えば塩化ビニル樹脂等の合成樹脂で構成される。より具体的には、樹脂下枠１２２は、塩化ビニル樹脂等の合成樹脂を押出成形することで得られる。
【００３３】
金属下枠１２１は、仕切り壁１２１ｃで仕切られた下方側中空部１２１ｂと上方側中空部１２１ａを有するホロー構造である。
金属下枠１２１の上方側中空部１２１ａの上方には、屋内側の端部から上方に立設する金属下枠立設部１２１ｄが形成される。金属下枠立設部１２１ｄの先端には、屋内側に向かって略水平に延出する金属下枠水平部１２１ｅが形成される。また、該金属下枠水平部１２１ｅから略垂直下方に延出する金属下枠垂設部１２１ｆが形成される。
【００３４】
樹脂下枠１２２は、金属下枠水平部１２１ｅ上に取り付けられ、水平に延設される樹脂下枠水平部１２２ａと、金属下枠垂設部１２１ｆの屋内側に取り付けられる樹脂下枠本体１２２ｂと、を含んで構成される。
【００３５】
下框２２は、屋外側の金属下框２２１と、屋内側の樹脂下框２２２と、を含んで構成される。
金属下框２２１は、例えばアルミで構成される。より具体的には、金属下框２２１は、アルミを押出成形することで得られる。
樹脂下框２２２は、例えば塩化ビニル樹脂等の合成樹脂で構成される。より具体的には、樹脂下框２２２は、塩化ビニル樹脂等の合成樹脂を押出成形することで得られる。
【００３６】
金属下框２２１は、内部に中空部２２１ａが形成された角筒部２２１ｅを備える。中空部２２１ａは、断面視において略矩形である。
金属下框２２１の中空部２２１ａの下方には、屋外側の端部から略垂直に延出する金属下框垂設部２２１ｂが形成され、金属下框２２１の中空部２２１ａの上方には、屋外側の端部から略垂直に延出する金属下框立設部２２１ｃが形成される。
中空部２２１ａには、後に詳述する補強材８０が配置される。
【００３７】
樹脂下框２２２は、樹脂下框本体２２２ａを含んで構成される。
樹脂下框本体２２２ａは、中空部２２１ａの屋内側の面に取り付けられる。
この樹脂下框本体２２２ａと金属下框立設部２２１ｃによりガラス保持溝２５４ａが形成される。
ガラス保持溝２５４ａ内には、ガラス保持金具２５５ａ、ずり下がり防止材２５６、シーリング材２５７ａが配設される。
ガラス保持金具２５５ａは、ガラス保持溝２５４ａの形状に沿った断面視で屋内下側が溝の内側に向かってやや凹んだ略コ字状の長尺部材であり、その開放面を上方側に向けて配置される。ガラス保持金具２５５ａは、例えばＳＵＳのような、アルミよりも融点の高い物質により構成される。
シーリング材２５７ａは、屋内側から樹脂下框本体２２２ａによって、屋外側から金属下框立設部２２１ｃによって、それぞれ押圧されることによりガラス２５の下側周縁を支持する。
【００３８】
下側アーム４０は、下枠１２及び下框２２の間の吊元側に配置される。
下側アーム４０は、上方側中空部１２１ａの上面側にねじ４０１によって固定され、且つ、中空部２２１ａの下面側にねじ（図示しない）によって固定される。
る。
【００３９】
上枠１１は、屋外側の金属上枠１１１と、屋内側の樹脂上枠１１２と、を含んで構成される。
金属上枠１１１は、例えばアルミで構成される。より具体的には、金属上枠１１１は、アルミを押出成形することで得られる。
樹脂上枠１１２は、例えば塩化ビニル樹脂等の合成樹脂で構成される。
【００４０】
金属上枠１１１は、中空部１１１ａを有するホロー構造である。中空部１１１ａの下面側の屋内側端部には、屋内側に略水平に延出する金属上枠水平部１１１ｂと、該金属上枠水平部１１１ｂから略垂直に上方に延出する金属上枠垂直部１１１ｃが形成される。
【００４１】
樹脂上枠１１２は、樹脂上枠本体１１２ａを含んで構成される。
樹脂上枠本体１１２ａは、金属上枠水平部１１１ｂと金属上枠垂直部１１１ｃに取り付けられる。
【００４２】
上框２１は、屋外側の金属上框２１１と、屋内側の樹脂上框２１２と、を含んで構成される。
金属上框２１１は、例えばアルミで構成される。より具体的には、金属上框２１１は、アルミを押出成形することで得られる。
樹脂上框２１２は、例えば塩化ビニル樹脂等の合成樹脂で構成される。より具体的には、樹脂上框２１２は、塩化ビニル樹脂等の合成樹脂を押出成形することで得られる。
【００４３】
金属上框２１１は、中空部２１１ａを有するホロー構造である。
金属上框２１１の中空部２１１ａの上方には、屋外側の端部から略垂直に延出する金属上框立設部２１１ｂが形成され、金属上框２１１の中空部２１１ａの下方には、屋外側の端部から略垂直に延出する金属上框垂設部２１１ｃが形成される。
【００４４】
樹脂上框２１２は、樹脂上框本体２１２ａを含んで構成される。
樹脂上框本体２１２ａは、中空部２１１ａの屋内側の面に取り付けられる。
この樹脂上框本体２１２ａと金属上框垂設部２１１ｃによりガラス保持溝２５４ｂが形成される。
ガラス保持溝２５４ｂ内には、シーリング材２５７ｂが配設される。
シーリング材２５７ｂは、屋内側から樹脂上框本体２１２ａによって、屋外側から金属上框垂設部２１１ｃによって、それぞれ押圧されることによりガラス２５の上側周縁を支持する。
【００４５】
上側アーム３０は、上枠１１及び上框２１の間の吊元側に配置される。
上側アーム３０は、中空部１１１ａの下面側に固定され、且つ、中空部２１１ａの下面側に固定される。
【００４６】
図３は、上記実施形態に係る縦辷り出し窓の横断面図である。
吊元側の縦枠１３は、屋外側の金属縦枠１３１と、屋内側の樹脂縦枠１３２と、を含んで構成される。
金属縦枠１３１は、例えばアルミで構成される。より具体的には、金属縦枠１３１は、アルミを押出成形することで得られる。
樹脂縦枠１３２は、例えば塩化ビニル樹脂等の合成樹脂で構成される。より具体的には、樹脂縦枠１３２は、塩化ビニル樹脂等の合成樹脂を押出成形することで得られる。
【００４７】
金属縦枠１３１は、金属縦枠本体１３１ａを含んで構成される。
樹脂縦枠１３２は、樹脂縦枠本体１３２ａを含んで構成される。樹脂縦枠１３２は、金属縦枠１３１の屋内側の内側に配置される。
【００４８】
吊元側の縦框２３は、屋外側の金属縦框２３１と、屋内側の樹脂縦框２３２と、を含んで構成される。
金属縦框２３１は、例えばアルミで構成される。より具体的には、金属縦框２３１は、アルミを押出成形することで得られる。
樹脂縦框２３２は、例えば塩化ビニル樹脂等の合成樹脂で構成される。より具体的には、樹脂縦框２３２は、塩化ビニル樹脂等の合成樹脂を押出成形することで得られる。
【００４９】
金属縦框２３１は、中空部２３１ａを有するホロー構造である。
金属縦框２３１の中空部２３１ａの戸先方向には、屋外側の端部から延出する金属縦框第１横設部２３１ｂと、屋内側の端部から延出する金属縦框第２横設部２３１ｃとが形成される。
【００５０】
樹脂縦框２３２は、樹脂縦框本体２３２ａを含んで構成される。
樹脂縦框本体２３２ａは、金属縦框２３１の屋内側の面に取り付けられる。
樹脂縦框本体２３２ａの戸先側の先端には、屋外側に向かって延出する樹脂縦框横設部２３２ｂが形成される。
樹脂縦框横設部２３２ｂは、その吊元側側面において、金属縦框第２横設部２３１ｃの先端部と係合する。
【００５１】
金属縦框第１横設部２３１ｂと、金属縦框第２横設部２３１ｃによりガラス保持溝２５４ｃが形成される。
ガラス保持溝２５４ｃ内には、シーリング材２５７ｃが配設される。
シーリング材２５７ｃは、屋内側から樹脂縦框横設部２３２ｂによって、屋外側から金属縦框第１横設部２３１ｂによって、それぞれ押圧されることによりガラス２５の吊元側側面の周縁を支持する。
【００５２】
戸先側の縦枠１４及び戸先側の縦框２４の構成については、吊元側の縦枠１３及び吊元側の縦框２３と、それぞれ相違する部分を中心に説明する。
縦框２４は、メインロック２４ａを備える。メインロック２４ａは、樹脂縦框本体２４２ａに取り付けられる。
縦枠１４は、受け部材１４ａを備える。受け部材１４ａは、樹脂縦枠本体１４２ａに取り付けられ、障子２０の閉鎖時にメインロック２４ａが係止される。
【００５３】
なお、図１においては図示していないが、下框２２の戸先側にはサブロック９０が取り付けられる。サブロック９０は、操作部９１と、本体部（図示しない）の有するロック爪９２とを含んで構成される。
【００５４】
図４は、本実施形態に係る補強材８０を示す斜視図である。
補強材８０は、金具であって、例えばＳＵＳのような、アルミよりも融点の高い物質により構成される。
上述のように、補強材８０は下框２２（金属下框２２１）の中空部２２１ａに配置される。
補強材８０は、見付部８１と、見込部８２と、第１延出部８３と、第２延出部８４と、を備える。
【００５５】
見付部８１は、下框２２の中空部２２１ａの屋外側に立設し見付方向に延在する。見付部８１には、屋内側の面に加熱発泡材８１ａが取り付けられる。
見込部８２は、下框２２の中空部２２１ａに立設し見付部８１から見込方向に延出する。見込部８２は、見付部８１の端部から屋内側に延出する。
第１延出部８３は、見込部８２の屋内側の一端から見付方向に延出する。第１延出部８３には、ねじで補強材８０を固定するための穴８３ａが形成される。
第２延出部８４は、見付部８１の、見込部８２と接続した端部とは逆側の端部から見込方向に延出する。
【００５６】
本実施形態においては、下框２２（金属下框２２１）の中空部２２１ａに、互いに対称の形状をした補強材８０を２つ配置する。このような配置により、左開きと、右開きのいずれの開口部装置にも対応可能な框を提供できる。
【００５７】
図５〜７はそれぞれ、本実施形態に係る縦辷り出し窓の下框２２の正面図、平面図及び拡大横断面図である。より詳しくは、図５〜７は、下框２２において補強材８０、ガラス保持金具２５５ａ及びサブロック９０がどのように配置されているかを示す図である。なお、図５は下框２２を屋内側から見た図であり、図７は下框２２を戸先側から見たときの拡大横断面図である。
【００５８】
図５に示すように、補強材８０は、下框２２の中空部２２１ａの見付方向の両端に２つ配置される。なお、補強材８０は、下框２２の中空部２２１ａの見付方向の片側に１つ配置しても良い。また、ガラス保持金具２５５ａは、補強材８０の上方に、下框２２の見付方向全体に延設されている。このようにガラス保持金具２５５ａと補強材８０が見付方向において重複するように配置されることで、火災によって下框２２の樹脂やアルミが溶けた場合でもガラス保持金具２５５ａを補強材８０によって支えることができる。
図５及び６に示すように、補強材８０は、第１延出部８３が下框２２の屋内側の面に固定されている。より詳しくは、補強材８０は、第１延出部８３に形成された穴８３ａとボルト８３ｂによって中空部２２１ａの屋内側に固定される（図６参照）。また、補強材８０の見付部８１は、その上部が中空部２２１ａの上面に当接している。
【００５９】
図６及び７に示すように、サブロック９０は、本体部９４と、操作部９１と、連結部９３と、を有する。
本体部９４は、下框２２の中空部２２１ａに配置される。本体部９４は、ロック爪９２を突没させることで障子２０の閉鎖状態と開放可能状態との切り替えを行うロック機構を有する。
操作部９１は、下框２２の屋内側に配置される。操作部９１は、見付方向に動かすことによりロック爪９２が突没するように構成されている。
連結部９３は、下框２２の屋内側の面に見付方向に延びて形成されたスリット２２１ｄ，２２２ｂに挿通され本体部と操作部とを連結させる。スリット２２１ｄは、金属下框２２１の角筒部２２１ｅの屋内側に設けられ、中空部２２１ａを外部と連通する。スリット２２２ｂは、樹脂下框２２２に設けられる。スリット２２１ｄ，２２２ｂは、それぞれ金属下框２２１及び樹脂下框２２２の戸先側の端部から所定の長さと幅の切り込みを設けることで得ることができる。スリット２２１ｄ及びスリット２２２ｂの見付方向の長さは同じである。
図５及び６に示すように、戸先側の補強材８０の見付部８１は、下框２２の見付方向においてスリット２２１ｄ（スリット２２２ｂ）を覆うように配置されている。
下框２２は、金属下框２２１に、補強材８０を挿入してボルト８３ｂにより固定したのち、樹脂下框２２２を取り付け、更にサブロック９０を取り付けるという手順で製造される。
【００６０】
本実施形態によれば、以下の効果が奏される。
本実施形態では、下框２２の角筒部２２１ｅの内部に補強材８０を配置した。また、補強材８０は、見付方向に延在する見付部８１と、見付部８１から見込方向に延出する見込部８２と、を備えた。
これにより、火災によって下框２２の樹脂やアルミが溶けたとしても、ガラス２５が下方向へずれることを防ぐことができる。ガラス２５の下方向へのずれや落下を防ぐことができれば、ガラス２５の上方が開放されることによる屋内への熱風や煙の侵入を防ぐことができるので、防火性能に優れた開口部装置（縦辷り出し窓１）を提供できる。
更には、見付方向に延在する補強材８０の見付部８１を、下框２２の中空部２２１ａの屋外側に配置すれば、特に屋外側の火災に対して高い防火性能を発揮する上に、下框２２の中空部２２１ａの屋内側にサブロック等の部材を配置することも容易になる。
【００６１】
ところで、障子２０に、下框２２に形成されたスリット２２１ｄ，２２２ｂに挿通して備え付けるサブロック９０を設置した場合、スリット２２１ｄ，２２２ｂ部分の防火性能が劣る傾向にあり、火災においてスリット部分から熱風や煙が屋内に侵入してしまうことがあった。また、サブロックを下框２２の中空部２２１ａに配置した場合、従来の断面視コ字状の補強芯材を下框２２の見付方向に通しで取り付けるのは困難であった。
本実施形態では、下框２２の角筒部２２１ｅの内部（中空部２２１ａ）に配置されるロック機構を有する本体部９４と、下框２２の屋内側に配置される操作部９１と、前記本体部９４と前記操作部９１とを連結させる連結部９３と、を有するサブロック９０を、下框の屋内側の面に見付方向に延びて形成されたスリット２２１ｄ，２２２ｂに挿通した。また、補強材８０を、見付部８１が下框２２の見付方向においてスリット２２１ｄ，２２２ｂを覆うように配置した。
上記のように補強材８０の見付部８１が中空部２２１ａの屋外側に立設して見付方向に延在すれば、下框２２の屋内側のスリット２２１ｄ，２２２ｂに挿通されるサブロック９０であれば容易に設置することができる。また、これにより、屋外側からの火災に対して補強材８０の見付部８１がスリット２２１ｄ，２２２ｂ部分を保護するので、サブロック９０を設置するにも関わらず良好な防火性能を維持することができる。
【００６２】
本実施形態では、ガラス保持金具２５５ａを、下框２２とガラス２５の下縁部との間に見付方向に延設した。
これにより、ガラス２５の下縁部がガラス保持金具２５５ａによって支えられ、且つ、保護されるので、開口部装置（縦辷り出し窓１）の防火性能や安全性がより高くなる。
【００６３】
本実施形態では、更に、補強材８０とガラス保持金具２５５ａとが平面投影面において重複するように配置する。
これにより、ガラス２５を支えるガラス保持金具２５５ａは、ガラス保持金具の下方であって下框２２の角筒部２２１ｅの内部（中空部２２１ａ）に配置される補強材８０によって支えられる。従って、火災によって下框２２の樹脂やアルミが溶けたとしても、ガラス２５全体の重量を補強材８０によって容易に支えることができ、ガラス２５が下方向へずれることを、より効果的に防ぐことができる。
【００６４】
本実施形態では、見付部８１の屋内側の面に加熱発泡材８１ａを取り付けた。
これにより、下框２２にサブロック９０を設置した場合であっても、火災発生時には、熱で加熱発泡材８１ａが発泡して膨張し、見付部８１とサブロック９０との間の空間を塞ぐことができる。従って、該空間を通って熱風や煙が屋内に侵入するのを回避でき、より優れた防火性能が得られる。
【００６５】
本実施形態では、補強材８０が見込部の屋内側の一端から見付方向に延出する第１延出部８３を更に備えた。また、第１延出部８３を下框２２の屋内側の面に固定した。
これにより、ガラスの脱落をより効果的に防止することができる。つまり、屋外側からの加熱の影響を最も受け難い下框２２の屋内側の面に補強材８０を固定することで、火災による屋外側からの加熱で補強材８０の固定箇所が溶けてしまい、補強材８０がずれることを防止することができる。
【００６６】
本実施形態では、下框２２の中空部２２１ａの見付方向の片側に補強材８０を少なくとも１つ配置した。
これにより、下框２２の中空部２２１ａの見付方向の一部に補強材８０が配置されるので、障子２０の重量を軽減することができ、開口部装置の生産や設置のコストを削減することができる。
【００６７】
なお、本発明は上記実施形態に限定されるものではなく、本発明の目的を達成できる範囲での変形、改良等は本発明に含まれる。
上記実施形態では、下框２２にサブロック９０を設けたが、本発明は、下框２２の中空部２２１ａにサブロック以外の何らかの部材を取り付けるのにも好適に適用可能である。
【００６８】
また、上記実施形態では、縦辷り出し窓について記載したが、本発明の障子は縦辷り出し窓以外の建具に適用することもできる。
【００６９】
また、上記実施形態では、補強材８０を下框２２の屋内側の面に固定したが、補強材８０は、下框２２の上面又は下框２２の下面に固定してもよい。
これにより、火災による屋外側からの加熱によって補強材８０の固定箇所が溶けてしまい、補強材８０がずれることを防止することができるので、補強材８０を下框２２の屋内側の面に固定した場合と同様の効果を得ることができる。
【００７０】
また、上記実施形態では、補強材８０を下框２２の中空部２２１ａの両端に２つ配置したが、窓の大きさに応じて、補強材８０を１つ配置しても良いし、３つ以上配置してもよい。
【符号の説明】
【００７１】
１…縦辷り出し窓（開口部装置）
２０…障子
２１…上框
２２…下框
２３，２４…縦框
２５…ガラス
８０…補強材（金具）
８１…見付部
８２…見込部
８１ａ…加熱発泡材
８３…第１延出部（延出部）
９０…サブロック
９１…操作部
９３…連結部
９４…本体部
２００…框
２２１ａ…中空部
２２１ｄ，２２２ｂ…スリット
２２１ｅ…角筒部
２５５ａ…ガラス保持金具
【図１】
2014163085.tif 000003
【図２】
2014163085.tif 000004
【図３】
2014163085.tif 000005
【図４】
2014163085.tif 000006
【図５】
2014163085.tif 000007
【図６】
2014163085.tif 000008
【図７】
2014163085.tif 000009